(57)【要約】  ディスク上に管理情報を記録するための方法及び装置、ならびに追記型光ディスクを提供する。この方法は、記録媒体上にオープンＳＲＲ情報を記録することと、所定のＳＲＲがクローズされると、オープンＳＲＲ情報から所定のＳＲＲの識別情報を除去することとを含む。オープンＳＲＲ情報は、任意のオープンＳＲＲの識別情報を担持し、許容されたオープンＳＲＲの数は、最大で予め決められた数である。
2007505431.tif 000002
【特許請求の範囲】
【請求項１】
少なくとも１つのＳＲＲ（Ｓｅｑｕｅｎｔｉａｌ  ｒｅｃｏｒｄｉｎｇ  ｒａｎｇｅ）を含む記録媒体を管理する方法であって、
任意のオープンＳＲＲの識別を担持するオープンＳＲＲ情報を前記記録媒体上に記録することであって、許容されるオープンＳＲＲの数は最大で予め決められた数であることと、
あるＳＲＲがクローズされると、前記オープンＳＲＲ情報から前記あるＳＲＲの識別情報を除去することと
を備えることを特徴とする方法。
【請求項２】
前記あるＳＲＲをクローズするとき、前記あるＳＲＲの少なくとも一部を第１のデータでパディングすること
をさらに備えることを特徴とする請求項１に記載の方法。
【請求項３】
前記あるＳＲＲの少なくとも一部がパディングされているか否かを示すパディング状態情報を前記記録媒体に記録すること
をさらに備えることを特徴とする請求項１に記載の方法。
【請求項４】
前記あるＳＲＲの一部は、少なくとも１つの記録単位であることを特徴とする請求項３に記載の方法。
【請求項５】
前記あるＳＲＲの一部は、前記あるＳＲＲの最後に記録された位置の後の次の書込み記録可能な位置からであることを特徴とする請求項４に記載の方法。
【請求項６】
前記第１のデータは、ダミーデータ、ゼロまたは特定のリアルデータであることを特徴とする請求項２に記載の方法。
【請求項７】
前記オープンＳＲＲ情報において、オープンＳＲＲの前記識別は、ＳＲＲ番号であることを特徴とする請求項１に記載の方法。
【請求項８】
前記記録することは、
前記あるＳＲＲがセッションの開始であるかどうかを示すセッション開始情報を前記記録媒体上に記録すること
を備えることを特徴とする請求項１に記載の方法。
【請求項９】
１以上のＳＲＲに関係し、前記記録媒体の記録状態を識別するＳＲＲＩ（ｓｅｑｕｅｎｔｉａｌ  ｒｅｃｏｒｄｉｎｇ  ｒａｎｇｅ  ｉｎｆｏｒｍａｔｉｏｎ）を前記記録媒体上に記録することをさらに備え、
前記オープンＳＲＲ情報は、前記ＳＲＲＩの一部であることを特徴とする請求項１に記載の方法。
【請求項１０】
前記ＳＲＲＩは、前記記録媒体上の一時ディスク管理領域に記録されることを特徴とする請求項９に記載の方法。
【請求項１１】
前記予め決められた数は、１６であることを特徴とする請求項１に記載の方法。
【請求項１２】
前記あるＳＲＲは、前記あるＳＲＲがクローズされると、次の書込み可能なアドレスを有さないことを特徴とする請求項１に記載の方法。
【請求項１３】
前記少なくとも１つのＳＲＲのそれぞれは、予約ＳＲＲ及び未予約ＳＲＲのうちの１つであり、前記予約ＳＲＲは、開始アドレスと終了アドレスの両方を有し、前記未予約ＳＲＲは、開始アドレスを有するが、終了アドレスを有さず、
前記未予約ＳＲＲは、記録された未予約ＳＲＲまたはエンプティー未予約ＳＲＲのいずれかであり、前記あるＳＲＲは、前記エンプティー未予約ＳＲＲでないことを特徴とする請求項１に記載の方法。
【請求項１４】
前記あるＳＲＲは、最後に記録されたアドレスを有し、前記最後に記録されたアドレスは、前記第１のデータを除くユーザデータで記録された前記あるＳＲＲの最終位置を示すことを特徴とする請求項２に記載の方法。
【請求項１５】
少なくとも１つのＳＲＲ（ｓｅｑｕｅｎｔｉａｌ  ｒｅｃｏｒｄｉｎｇ  ｒａｎｇｅ）を含む記録媒体を管理する方法であって、
あるＳＲＲをクローズするとき、前記あるオープンＳＲＲの少なくとも一部をパディングデータでパディングすることと、
前記あるＳＲＲの一部がパディングされているか否かを示すパディング状態情報であって、前記あるＳＲＲと関連付けられたパディング状態情報を前記記録媒体上に記録することと
を備えることを特徴とする方法。
【請求項１６】
前記パディングすることにおいて、パディングされる前記あるＳＲＲの一部は、前記あるＳＲＲの次の書込み可能な領域から開始する少なくとも１つの記録単位であることを特徴とする請求項１５に記載の方法。
【請求項１７】
前記パディングすることにおいて、パディングされる前記あるＳＲＲの一部は、前記あるＳＲＲの最後に記録された領域の次の最初のクラスタであることを特徴とする請求項１５に記載の方法。
【請求項１８】
前記パディングにおいて、前記パディングデータは、ゼロであることを特徴とする請求項１５に記載の方法。
【請求項１９】
前記あるＳＲＲがクローズされると、オープンＳＲＲの一覧から前記あるＳＲＲと関連付けられたＳＲＲ番号を除去すること
をさらに備えることを特徴とする請求項１５に記載の方法。
【請求項２０】
記録媒体であって、
前記記録媒体上の少なくとも１つのＳＲＲ（ｓｅｑｕｅｎｔｉａｌ  ｒｅｃｏｒｄｉｎｇ  ｒａｎｇｅ）と、
任意のオープンＳＲＲの識別を担持する前記記録媒体上のオープンＳＲＲ情報とを備え、
許容されるオープンＳＲＲの数は、最大で予め決められた数であり、あるＳＲＲがクローズされると、前記あるＳＲＲの識別が前記オープンＳＲＲ情報から除去されることを特徴とする記録媒体。
【請求項２１】
前記あるＳＲＲの少なくとも一部は、前記あるＳＲＲがクローズされるとき、第１のデータでパディングされることを特徴とする請求項２０に記載の記録媒体。
【請求項２２】
前記あるＳＲＲの少なくとも一部がパディングされたか否かを示す前記記録媒体上のパディング状態情報
をさらに備えたことを特徴とする請求項２０に記載の記録媒体。
【請求項２３】
前記あるＳＲＲの一部は、前記あるＳＲＲの最後の記録位置の後の次の書込み可能な位置からの少なくとも１つの記録単位であることを特徴とする請求項２０に記載の記録媒体。
【請求項２４】
前記第１のデータは、ダミーデータ、ゼロまたは特定のリアルデータであることを特徴とする請求項２１に記載の記録媒体。
【請求項２５】
前記オープンＳＲＲ情報において、オープンＳＲＲの前記識別は、ＳＲＲ番号であることを特徴とする請求項２０に記載の記録媒体。
【請求項２６】
前記あるＳＲＲがセッションの開始であるかどうかを示す前記記録媒体上のセッション開始情報をさらに備えたことを特徴とする請求項２０に記載の記録媒体。
【請求項２７】
１以上のＳＲＲに関係し、前記記録媒体の記録状態を識別する前記記録媒体上のＳＲＲＩをさらに備え、前記オープンＳＲＲ情報は、前記ＳＲＲＩの一部であることを特徴とする請求項２０に記載の記録媒体。
【請求項２８】
前記ＳＲＲＩが記録される一時ディスク管理領域をさらに備えることを特徴とする請求項２７に記載の記録媒体。
【請求項２９】
前記予め決められた数は、１６であることを特徴とする請求項２０に記載の記録媒体。
【請求項３０】
前記あるＳＲＲは、前記あるＳＲＲがクローズされると、次の書込み可能なアドレスを有さないことを特徴とする請求項２０に記載の記録媒体。
【請求項３１】
前記少なくとも１つのＳＲＲのそれぞれは、予約ＳＲＲ及び未予約ＳＲＲのうちの１つであり、前記予約ＳＲＲは、開始アドレスと終了アドレスの両方を有し、前記未予約ＳＲＲは、開始アドレスを有するが、終了アドレスを有さず、
前記未予約ＳＲＲは、記録された未予約ＳＲＲまたはエンプティー未予約ＳＲＲのいずれかであり、前記あるＳＲＲは、エンプティー未予約ＳＲＲでないことを特徴とする請求項２０に記載の記録媒体。
【請求項３２】
前記あるＳＲＲは、最後に記録されたアドレスを有し、前記最後に記録されたアドレスは、前記第１のデータを除くユーザデータで記録された前記あるＳＲＲの最終位置を示すことを特徴とする請求項２１に記載の記録媒体。
【請求項３３】
記録媒体であって、
前記記録媒体上の少なくとも１つのＳＲＲであって、あるＳＲＲをクローズするとき、前記あるオープンＳＲＲの少なくとも一部がパディングデータでパディングされるＳＲＲと、
前記あるＳＲＲの一部がパディングされているか否かを示す前記記録媒体上のパディング状態情報であって、前記あるＳＲＲと関連付けられたパディング情報と
を備えたことを特徴とする記録媒体。
【請求項３４】
パディングされる前記あるＳＲＲの一部は、前記あるＳＲＲの次の書込み可能な領域から開始する少なくとも１つの記録単位であることを特徴とする請求項３３に記載の記録媒体。
【請求項３５】
パディングされる前記あるＳＲＲの一部は、前記あるＳＲＲの最後に記録された領域の次の最初のクラスタであることを特徴とする請求項３３に記載の記録媒体。
【請求項３６】
前記パディングデータは、ゼロであることを特徴とする請求項３３に記載の記録媒体。
【請求項３７】
前記あるＳＲＲと関連付けられたＳＲＲ番号は、前記あるＳＲＲがクローズされると、オープンＳＲＲの一覧から除去されることを特徴とする請求項３３に記載の記録媒体。
【請求項３８】
記録媒体であって、
前記記録媒体上の少なくとも１つのＳＲＲ（ｓｅｑｕｅｎｔｉａｌ  ｒｅｃｏｒｄｉｎｇ  ｒａｎｇｅ）と、
前記記録媒体上のオープンＳＲＲのＳＲＲ番号を識別する前記記録媒体上のオープンＳＲＲ情報であって、あるＳＲＲをクローズするとき、前記あるＳＲＲの少なくとも一部がダミーデータでパディングすることができるオープンＳＲＲ情報と、
前記あるＳＲＲの一部がパディングされているか否かを示す前記記録媒体上のパディング状態情報とを備え、
前記あるＳＲＲのＳＲＲ番号は、前記あるＳＲＲがクローズされると、前記オープンＳＲＲ情報から除去されることを特徴とする請求項３３に記載の記録媒体。
【請求項３９】
許容されるオープンＳＲＲの総数は、最大で予め決められた数であることを特徴とする請求項３８に記載の記録媒体。
【請求項４０】
前記ダミーデータは、ゼロであることを特徴とする請求項３８に記載の記録媒体。
【請求項４１】
少なくとも１つのＳＲＲ（ｓｅｑｕｅｎｔｉａｌ  ｒｅｃｏｒｄｉｎｇ  ｒａｎｇｅ）を含む記録媒体を管理するための装置であって、
任意のオープンＳＲＲの識別を担持するオープンＳＲＲ情報を前記記録媒体上に記録する記録／再生部を備え、
前記許容されるオープンＳＲＲの数は、最大で予め決められた数であり、
前記記録／再生部は、あるＳＲＲがクローズされると、前記あるＳＲＲの識別を前記オープンＳＲＲ情報から除去することを特徴とする装置。
【請求項４２】
少なくとも１つのＳＲＲ（ｓｅｑｕｅｎｔｉａｌ  ｒｅｃｏｒｄｉｎｇ  ｒａｎｇｅ）を含む記録媒体を管理するための装置であって、
あるＳＲＲをクローズするとき、前記あるＳＲＲの少なくとも一部をパディングデータでパディングし、前記あるＳＲＲの一部がパディングされたか否かを示す、前記あるＳＲＲと関連付けられたパディング状態情報を前記記録媒体上に記録する記録／再生部
を備えたことを特徴とする装置。
【請求項４３】
少なくとも１つのＳＲＲ（ｓｅｑｕｅｎｔｉａｌ  ｒｅｃｏｒｄｉｎｇ  ｒａｎｇｅ）を含む記録媒体を管理するための装置であって、
前記記録媒体上の１以上のＳＲＲと関係し、前記記録媒体の記録状態を識別するＳＲＲＩを前記記録媒体上に記録するための記録／再生部を備え、
前記ＳＲＲＩは、オープンＳＲＲ番号を含むオープンＳＲＲの一覧を含み、
許容されるオープンＳＲＲの数は、最大で予め決められた数であり、前記記録／再生部は、あるＳＲＲがクローズされると、前記あるＳＲＲのＳＲＲ番号を前記オープンＳＲＲの一覧から除去することを特徴とする装置。
【発明の詳細な説明】
【技術分野】
【０００１】
本発明は、追記型（ｗｒｉｔｅ−ｏｎｃｅ）光ディスク、追記型光ディスク上に管理情報を記録するための方法、及びこの方法を用いた記録／再生装置に関する。
【背景技術】
【０００２】
大容量データが記録可能な光ディスクが、光記録媒体として広く使用されている。中でも、新たな高密度光記録媒体（ＨＤ−ＤＶＤ）、例えば、ブルーレイディスクは、近年、高解像度のビデオデータ及び高品質のオーディオデータを長時間記録し、保存するために開発されてきた。
【０００３】
ブルーレイディスクは、次世代のＨＤ−ＤＶＤ技術及び次世代の光記録ソリューションであり、既存のＤＶＤよりも多くのデータを格納できる優れた能力を有している。近年、ＨＤ−ＤＶＤの国際標準の技術的な仕様が確立された。これと関連して、追記型ブルーレイディスク（ＢＤ−ＷＯ）の種々の標準が、書き換え可能な（ｒｅｗｒｉｔａｂｌｅ）ブルーレイディスク（ＢＤ−ＲＥ）の標準に続いて準備されてきた。
【０００４】
追記型ブルーレイディスク（ＢＤ−ＷＯ）の標準の中で、管理情報を記録するための方法が論議されてきた。この方法は、追記型光ディスクの特徴の１つであるディスクの記録状態を示す情報の記録方法を伴う。ディスクの記録状態を示す情報により、ホストまたはユーザは追記型光ディスク上の記録可能な領域を容易に見つけることができるようになる。既存の追記型光ディスクにおいて、この情報は様々に名付けられている。例えば、ＣＤシリーズの場合には、この情報はトラック情報として名付けられ、ＤＶＤシリーズの場合には、この情報はＲＺｏｎｅまたはフラグメントと名付けられている。
【０００５】
このため、高密度の光ディスクの記録状態に対応する管理情報を効率よく記録する方法に対する要求が高まりつつある。そして、この方法には、相互互換性を確保するために標準化された情報が提供されなければならない。また、ディスク上に管理情報を記録する方法に対する要求があり、この方法は、欠陥管理を行う追記型高密度光ディスクはもとより、ブルーレイディスクにも適用可能である。
【発明の開示】
【発明が解決しようとする課題】
【０００６】
そこで、本発明は、関連技術の限界及び欠点による１つ以上の問題を実質的に防止する、追記型光ディスク及びそのディスクを管理するための方法を対象とする。
【０００７】
本発明の目的は、追記型光ディスクの管理情報を記録するための方法及び装置を提供することであり、これらの方法および装置により、ディスクに記録状態情報を効率的に記録および管理することができる。
【０００８】
本発明の他の目的は、異なるタイプのＳＲＲ（ｓｅｑｕｅｎｔｉａｌ  ｒｅｃｏｒｄｉｎｇ  ｒａｎｇｅ）を定義し、ＳＲＲ情報（ＳＲＲＩ）にＳＲＲを記録するための方法及び装置を提供することである。
【０００９】
本発明の他の目的は、ディスクの記録／再生動作を容易にする追記型光ディスクの構造及びＳＲＲＩの構造を提供することである。
【００１０】
本発明のさらなる目的は、追記型光ディスクに適用可能な、ＳＲＲＩを記録する方法、ＳＲＲＩを復元する方法、及び記録／再生装置を提供することである。
【課題を解決するための手段】
【００１１】
本発明のさらなる利点、目的及び特徴は、後述する詳細な説明に部分的に提示され、部分的には、この分野における通常の技術を有する者による以下の検討から明らかになるか、あるいは、本発明の実施から習得することができる。
【００１２】
本発明の目的及び他の利点は、記載の説明及び請求の範囲だけでなく、添付の図面に特に指摘された構造によって実現され、達成することができる。
【００１３】
本発明の上記の一般的な説明および下記の詳細な説明はともに例示であり、説明のためのものであり、請求される本発明のさらなる説明を提供するためのものであることが理解されよう。
【００１４】
本発明のさらなる理解を提供するために含められ、本願に組み込まれ、本願の一部を構成する添付の図面は、本発明の原理を説明するために提供された説明と共に本発明の実施形態を例示している。
【発明を実施するための最良の形態】
【００１５】
以下、本発明の好適な実施形態を詳細に参照することにする。その例は、添付の図面に示している。同じ参照番号は、図面全体にわたって可能な限り同一または類似の部分を指すために使用されている。
【００１６】
本発明によれば、複数の領域がＢＤ−ＷＯなどの光ディスク上に形成され、この領域のそれぞれは、ＳＲＲ（ｓｅｑｕｅｎｔｉａｌ  ｒｅｃｏｒｄｉｎｇ  ｒａｎｇｅ）と称される。記録／再生動作は、これらの領域上に／これらの領域から行われる。ディスクの記録状態を示す情報は、ＳＲＲＩ（ｓｅｑｕｅｎｔｉａｌ  ｒｅｃｏｒｄｉｎｇ  ｒａｎｇｅ  ｉｎｆｏｒｍａｔｉｏｎ）と称され、ディスクの順次記録モードに適用されることを意味する。ＳＲＲＩは、１つ以上のＳＲＲに関係する。
【００１７】
図１は、ＢＤ−ＷＯなどの追記型光ディスクの構造及び本発明によるディスク管理情報を記録する方法を示している。図１に示すディスクは、例として、単一の記録層を有している。しかし、本発明はこれに限定されるものではなく、デュアルまたは多数の記録層を有するディスクに適用可能である。
【００１８】
図１を参照すると、ディスクは、記録層にリードイン領域、データ領域及びリードアウト領域を、全て記録層に含んでいる。リードイン及びリードアウト領域は、同じ欠陥管理情報を繰り返し格納するための複数のディスク（または欠陥）管理領域（ＤＭＡ１−ＤＭＡ４）を有する。データ領域において、欠陥のある領域を置き換えるための内周スペア領域ＩＳＡ０及び／または外周スペア領域ＯＳＡ０が提供される。
【００１９】
書き換え可能な光ディスクは、大きなＤＭＡを有していないか、またはそれを必要としないことが知られている。というのは、ディスクが限られたサイズのＤＭＡを有しているとしても、そのＤＭＡは、繰り返し書き込まれ、消去可能であるためである。これは、ＢＤ−ＷＯなどの追記型光ディスクの場合と異なる。
【００２０】
追記型光ディスクは、一旦記録された領域に再記録することができないので、追記型光ディスクは、大きな管理領域を必要とし、また、それを有している。管理情報を一層効率的に格納するために、追記型光ディスクでは、管理情報は、ＴＤＭＡ（ｔｅｍｐｏｒａｒｙ  ｄｉｓｃ  ｍａｎａｇｅｍｅｎｔ  ａｒｅａ）に一時的に格納される。ディスクが完了／クローズされようとするとき、最終／最新のＴＤＭＡに格納された管理情報は、より永久的な保存のためにＤＭＡに移転される。
【００２１】
図１に示すように、ディスクは、２つのＴＤＭＡ（ＴＤＭＡ０及びＴＤＭＡ１）を含む。ＴＤＭＡ０はリードイン領域に割り当てられ、固定された不変のサイズを有する。ＴＤＭＡ１は、外周スペア領域ＯＳＡ０に割り当てられ、スペア領域のサイズに応じて可変サイズを有する。ＴＤＭＡ１のサイズＰは、例えば、Ｐ＝（Ｎ＊２５６）／４クラスタであり、ここで、Ｎは、正の整数であり、これは、全外周スペア領域ＯＳＡ０のサイズの約１／４である。ＴＤＭＡ０及びＴＤＭＡ１のそれぞれにおいて、ＴＤＦＬ（ｔｅｍｐｏｒａｒｙ  ｄｅｆｅｃｔ  ｌｉｓｔ）情報及びＴＤＤＳ（ｔｅｍｐｏｒａｒｙ  ｄｉｓｃ  ｄｅｆｉｎｉｔｉｏｎ  ｓｔｒｕｃｔｕｒｅ）情報はともに（ＴＤＦＬ＋ＴＤＤＳ）、１つの記録単位（例えば、ＢＤ−ＷＯの場合に１つのクラスタ）に記録することができ、あるいはＳＲＲＩ及びＴＤＤＳ情報はともに（ＳＲＲＩ＋ＴＤＤＳ）、図示したように１つの記録単位に記録することができる。ＳＲＲＩは、順次記録モードが使用されるときに記録されるのに対し、ＳＢＭ（ｓｐａｃｅ  ｂｉｔ  ｍａｐ）は、ランダム記録モードが使用されるときに使用される。
【００２２】
各更新時において、（ＴＤＦＬ＋ＴＤＤＳ）または（ＳＲＲＩ＋ＴＤＤＳ）は、１つのクラスタのサイズのＴＤＭＡに記録される。図１の例では、ＴＤＦＬ及びＴＤＤＳはＴＤＭＡ０の１つのクラスタに記録され、ＳＲＲＩ及びＴＤＤＳはＴＤＭＡ０の次のクラスタに記録され、ＳＲＲＩ及びＴＤＤＳはＴＤＭＡ０の次のクラスタに記録され、以下同様である。
【００２３】
欠陥領域がデータ領域内に生じる場合、これをスペア領域で置き換えるプロセスが行われる。ＴＤＦＬは、このプロセスを欠陥一覧として管理する情報である。単一層ディスクの場合、ＴＤＦＬは、欠陥一覧のサイズに従って１クラスタから４クラスタのサイズで記録される。ディスクの状態情報は、ディスクの特定の領域が記録されているか、記録されていないかを示す。具体的には、これは、ディスクが順次または増分記録モードで記録される場合に有効に適用できる。また、ＴＤＤＳ情報は、一般に、管理領域の１クラスタ内の３２セクターのうち最後のセクターに記録される。ディスクの一般的な管理及び欠陥管理のための重要な情報は、ＴＤＤＳ情報の一部として記録され、ＴＤＤＳ情報は、管理情報がＴＤＭＡ内で更新されるときに一般に常に最後に記録される。
【００２４】
本発明は、ＢＤ−ＷＯなどの新規な高密度光ディスクにディスクの記録状態情報を記録する方法を提供する。具体的には、ＳＲＲＩは、ディスクの記録状態を示す記録状態情報として使用される。各ＳＲＲＩは、ディスク上の１以上のＳＲＲ（ｒｅｃｏｒｄｉｎｇ  ｒｅｇｉｏｎ）に関係する。本発明は、各種のタイプのＳＲＲを定義し、これは、図２Ａないし図３Ｅを参照して後述する。本発明によるＳＲＲＩの構造は、図１を参照してこれから説明する。
【００２５】
図１に示すように、ＴＤＭＡ中の各ＳＲＲＩ６０は、３つの部分（対応するＳＲＲＩを識別するためのヘッダ５０、ＳＲＲタイプ情報を含むＳＲＲエントリの一覧（ＳＲＲエントリ一覧）３０、及び対応するＳＲＲＩの終了を示すためのＳＲＲ一覧ターミネータ４０）を含む。
【００２６】
ＳＲＲＩヘッダ５０は、対応するＳＲＲＩ６０の先頭に位置し、ＳＲＲＩを識別可能にする「ＳＲＲＩ構造識別子」フィールド５１、現在のＳＲＲＩに関係する各オープンＳＲＲの位置を識別するための「オープンＳＲＲの一覧」フィールド５２、ＳＲＲの総数を識別するための「ＳＲＲエントリの数」フィールド５３、及びオープンＳＲＲの総数を識別するための「オープンＳＲＲの数」フィールド５４を含む。「オープンＳＲＲの一覧」フィールド５２は、オープンＳＲＲのＳＲＲ番号（識別）を格納する。
【００２７】
ＳＲＲＩヘッダ５０にアクセスすることにより、ＳＲＲＩ６０の一般的なコンテンツは、ＳＲＲエントリ一覧３０に直接アクセスしなくても知ることができる。任意の新たなＳＲＲタイプまたは他の必要な情報を新たに定義し、この情報を必要に応じてヘッダ５０に挿入することが可能である。
【００２８】
ＳＲＲエントリ一覧（「ＳＲＲエントリの一覧」）３０は、ＳＲＲＩヘッダ５０の後に記録される。ＳＲＲエントリ一覧３０が終了するとき、ＳＲＲエントリ一覧３０の終了は、ＳＲＲ一覧ターミネータ４０で識別される。具体的には、ＳＲＲ一覧ターミネータ４０は、ＳＲＲＩが可変サイズを有するとき、対応するＳＲＲＩの終了を識別する情報である。
【００２９】
ＳＲＲエントリ一覧３０は、複数のＳＲＲエントリ３５が集められた一覧である。８バイト（または６４ビット）が、各ＳＲＲエントリ３５に割り当てられ、１つのＳＲＲエントリ３５は、ディスク上の１つのＳＲＲに関する情報を表す。各ＳＲＲエントリ３５は、ＳＲＲ状態フィールド３１、対応するＳＲＲの開始アドレスを格納するための開始アドレスフィールド３２、予約領域３３、及び対応するＳＲＲの最終記録アドレス（ＬＲＡ：ｌａｓｔ  ｒｅｃｏｒｄｅｄ  ａｄｄｒｅｓｓ）を格納するためのＬＲＡフィールド３４を含む。
【００３０】
一実施形態によれば、ＳＲＲエントリ３５の６４ビットのうち最初の４つの最上位ビット（ｂ６３−ｂ６０）は、ＳＲＲ状態フィールド３１に割り当てられ、ＳＲＲエントリ３５の次の２８ビット（ｂ５９−ｂ３２）は開始アドレスフィールド３２に割り当てられ、ＳＲＲエントリ３５の次の４ビット（ｂ３１−ｂ２８）は予約領域３３に割り当てられ、ＳＲＲエントリ３５の最終の２８ビット（ｂ２７−ｂ０）はＬＲＡフィールド３４に割り当てられる。
【００３１】
このため、ディスクの管理情報として、ＳＲＲＩは、ヘッダ、ＳＲＲエントリの一覧及びＳＲＲ一覧ターミネータを含み、全てのこのような情報は、各更新時にまとめて記録される。
【００３２】
本発明の目的の１つは、ディスク内に形成された各種のタイプのＳＲＲを定義し区別して、これらを用いてディスクに／ディスクから記録／再生を行うことである。このため、本発明によれば、ＳＲＲのタイプが定義され、ＳＲＲＩ内でＳＲＲのタイプを区別する情報を記録する方法が詳細に記述される。
【００３３】
特に、ＳＲＲは、ＢＤ−ＷＯなどの追記型光ディスク上にデータまたは情報を記録するための予約領域である。本発明は、必要および／または記録プロセスに応じて、ＳＲＲのタイプを定義する。本発明により定義される各種のＳＲＲタイプの詳細な説明は、図２Ａないし図３Ｅを参照して後述する。
【００３４】
図２Ａないし図２Ｄは、本発明による追記型光ディスク（例えば、ＢＤ−ＷＯ）のための異なるタイプのオープンＳＲＲを示している。オープンＳＲＲは、対応する領域に記録することができるＳＲＲを意味する。「記録可能」とは、ＳＲＲが次に記録可能な領域（ＮＷＡ）を有することを意味する。このため、オープンＳＲＲは、ＮＷＡを有するＳＲＲである。ＮＷＡのない記録不可のＳＲＲは、クローズＳＲＲである。すなわち、クローズＳＲＲは、記録可能とすることができないか、ＮＷＡを有しないＳＲＲである。クローズＳＲＲタイプは、図３Ａないし図３Ｅを参照して後述する。
【００３５】
より具体的には、図２Ａは、オープンＳＲＲのうちインビジブルＳＲＲを示している。インビジブルＳＲＲは、ディスクの最外セクションまたは初期のブランクディスクに一般に常に形成され、未記録領域を意味する。換言すると、インビジブルＳＲＲは、開始アドレスのみを有しているが、その領域に対する終わりを有していない。インビジブルＳＲＲにおいては、記録が行われないため、そのＬＲＡはゼロである。インビジブルＳＲＲのＮＷＡは、その開始アドレスと同じ値となる。図２Ｂは、オープンＳＲＲのうちインコンプリートＳＲＲを示す。インコンプリートＳＲＲは、ＳＲＲがインビジブルＳＲＲ状態にある間にＳＲＲの一部に記録が行われるＳＲＲである。換言すると、インコンプリートＳＲＲは開始アドレスのみを有しているが、その領域に対する終わりを有していない。ＳＲＲの一部に記録が行われるので、インコンプリートＳＲＲのＬＲＡは、通常のデータが記録される最終記録領域である。このため、インコンプリートＳＲＲのＮＷＡは、ＳＲＲのＬＲＡの次の（または後続の）アドレスである。
【００３６】
図２Ｃは、オープンＳＲＲのうちエンプティーＳＲＲを示している。図２Ａ及び図２ＢのインビジブルＳＲＲおよびインコンプリートＳＲＲとは異なり、エンプティーＳＲＲは、ディスクの最外領域ではなく、記録のためにディスクの中間領域に一般に形成されるＳＲＲである。換言すると、オープンＳＲＲがホストまたはユーザの記録のために形成された後、まだ記録が行われていない場合である。エンプティーＳＲＲは、開始アドレスと終了アドレスの両方を有する。しかしながら、エンプティーＳＲＲは、記録前の状態を示すので、ＬＲＡはゼロであり、ＮＷＡはＳＲＲの開始アドレスと同じ値を有する。
【００３７】
図２Ｄは、オープンＳＲＲのうち部分的に記録されたＳＲＲを示している。部分記録ＳＲＲは、ＳＲＲが図２Ｃに示すエンプティーＳＲＲ状態にある間にＳＲＲの一部に記録が行われたＳＲＲである。このため、部分記録ＳＲＲは、開始アドレスと終了アドレスの両方を有する。ＳＲＲの一部に記録が行われるので、部分記録ＳＲＲのＬＲＡは、最後に記録された領域アドレスであり、ＮＷＡはＬＲＡの次のアドレスである。
【００３８】
本発明の一実施形態によれば、許容されるオープンＳＲＲの数は、有利にも予め決められた数に限られる。というのは、追記型光ディスク上で多数のオープンＳＲＲを管理することが困難であるためである。例えば、ＢＤ−ＷＯの場合に、ある所与の時間に許容されるオープンＳＲＲの総数は、最大１６個である。ディスク内のオープンＳＲＲの位置及び数に関する情報は、図１のＳＲＲＩヘッダ５０内の「オープンＳＲＲの一覧」フィールド５２及び「オープンＳＲＲの数」フィールド５４をチェックすることにより得ることができる。
【００３９】
図３Ａないし図３Ｅは、本発明によるＢＤ−ＷＯなどの追記型光ディスクのための様々なタイプのクローズＳＲＲを示している。クローズＳＲＲは、記録不可のＳＲＲであり、「記録不可」とは、ＳＲＲがＮＷＡを有していないことを意味する。このため、クローズＳＲＲは、ＳＲＲの記録を完了することにより形成することができる。記録可能な領域がＳＲＲに残っているとしても、ＳＲＲは、ユーザ／ホストのクローズコマンドにより強制的にクローズすることができる。
【００４０】
より具体的には、図３Ａは、クローズＳＲＲのうちエンプティーＳＲＲを示している。エンプティーＳＲＲは、ＳＲＲが図２Ｃに示すエンプティーＳＲＲ状態にあるとき、ＳＲＲへの記録なしでクローズコマンドによりクローズされたＳＲＲである。これに関し、図３Ａは、クローズエンプティーＳＲＲの一例であり、図２Ｃは、オープンエンプティーＳＲＲの一例である。
【００４１】
図３Ｂは、クローズＳＲＲのうち部分記録ＳＲＲを示す。部分記録ＳＲＲは、ＳＲＲが図２Ｄに示す部分記録ＳＲＲの状態にあるとき、ＳＲＲへの追加記録なしでクローズコマンドによりクローズされたＳＲＲである。これに関し、図３Ｂはクローズ部分記録ＳＲＲであり、図２Ｄはオープン部分記録ＳＲＲである。
【００４２】
図３Ｃは、クローズＳＲＲのうちコンプリートＳＲＲを示している。コンプリートＳＲＲは、通常のユーザデータの記録がＳＲＲの最後まで完了したＳＲＲである。コンプリートＳＲＲは、クローズＳＲＲのうちのみに存在する。
【００４３】
図３Ｄは、クローズＳＲＲのうちクローズ部分記録ＳＲＲの他の例を示している。このＳＲＲタイプは、図２Ｄのオープン部分記録ＳＲＲをクローズするときにＬＲＡの後のＳＲＲの一部の記録可能な領域が特定のダミーデータでパディングされた後にクローズされたＳＲＲである。ＳＲＲの記録可能な全体または一部の領域は、ダミーデータでパディングすることができる。バリエーションとして、ＳＲＲをパディングするためにダミーデータに代えて特定の文字コード（ＡＳＣＩＩ文字）を使用することができる。パディングデータは、ＳＲＲがクローズされたことを示すのに用いることができる。一例では、パディングデータとしての特定の文字は、対応するＳＲＲがクローズされたことを示す「ＣＬＳＤ」であっても良い。他の例では、ゼロのダミーデータを使用することができ、そのようなダミーデータを有するＳＲＲが検出されると、このＳＲＲがクローズＳＲＲであると判定できるようにすることができる。オープンＳＲＲをクローズするためにパディングするとき、ＳＲＲの記録可能な領域の少なくとも一部がパディングデータで記録されることもある。ＳＲＲのこの部分は、１つのクラスタなど少なくとも１つの記録単位とすることができ、ＬＲＡの後の最初のクラスタとすることができる。すなわち、そのＮＷＡから開始して、オープンＳＲＲの少なくとも１つの記録単位を、オープンＳＲＲをクローズするときにパディングすることができる。図３Ｅは、クローズＳＲＲのうちクローズエンプティーＳＲＲの他の例を示す。
【００４４】
このＳＲＲタイプは、図２ＣのオープンエンプティーＳＲＲをクローズするときにＳＲＲの一部の記録可能な領域がパディングデータでパディングされた後にクローズされるＳＲＲを伴う。上述したように図３Ｄのパディング動作は、ここでも適用される。
【００４５】
図３Ａ〜図３Ｂ及び図３Ｄ〜図３Ｅに示すように、オープンＳＲＲがクローズコマンドによりクローズＳＲＲに変更されるとき、未記録領域がパディングなしでクローズされる場合（図３Ａ及び図３Ｂ）と、未記録領域がパディングでクローズされる場合（図３Ｄ及び図３Ｅ）とでは異なって定義される。
【００４６】
また、ＳＲＲがパディングなしでクローズされる場合と、ＳＲＲが特定のパディングデータでパディングされた後にクローズされる場合とは、選択的に行うことができる。既存のブルーレイディスクの場合、未記録領域は、パディングなしでも再生専用ディスクと互換可能である。記録／再生装置（図１４）は、パディング動作を選択的に行うことができ、これにより、記録／再生装置の構造／動作の自由度を効率よく確保することができる。さらに、パディング動作において、記録／再生装置の記録／再生部（例えば、図１４の部品１０）は、パディングデータを予め格納し、必要に応じてＳＲＲに自動的に記録することができる。これにより、制御部がパディングデータを送信し、それからパディングが行われる場合に比べてパディングの動作時間が短縮される。
【００４７】
さらに、ＳＲＲ内の記録可能な領域の一部（例えば、ＬＲＡ後の最初のクラスタ）がＳＲＲのクローズにあたって特定のデータでパディングされる場合、ＳＲＲＩの喪失があるときでも、現在のディスクの状態を有効に復元することが可能である。本発明のこの特徴についての詳細な説明は、図７Ａないし図１３Ｂを参照して後述する。
【００４８】
図４Ａないし図４Ｇは、本発明の一実施形態による図１〜図３Ｅのディスク内のＳＲＲを形成するプロセスの一例を示す。これら及び他の図面において、太い矢印によって示された部分は、ＮＷＡの位置を示す。ここで、異なるタイプのセッションは、本発明に従って一緒に定義され、記述される。
【００４９】
「セッション」は、ＳＲＲなどの下位レベルの記録単位に比べて上位レベルの記録単位であり、少なくとも１つのＳＲＲを含む。また、ある所与の時間に１つの記録可能なセッションだけがディスク内に存在することがあるため、新たなセッションは、以前に割り当てられた全てのセッションがクローズされた後に割り当てられなければならない。このため、セッションがクローズされる場合に、そのセッション内に存在する全てのＳＲＲは、一緒にクローズされなければならない。また、各ＳＲＲは、ＳＲＲ内の記録可能な全体または一部の領域をパディングすることによってクローズすることができ、あるいは、上述したようにＳＲＲの記録可能な領域をパディングすることなくクローズすることができる。この動作は、光記録／再生装置により選択的に行うことができる。
【００５０】
セッションは、異なるタイプ、すなわち、インビジブルＳＲＲのみを有するエンプティセッションと、インビジブルＳＲＲを除く少なくとも１つのオープンＳＲＲを有するインコンプリートセッションと、１以上のクローズＳＲＲのみを有するコンプリートセッションとに分けることができる。
【００５１】
特に、図４Ａは、全領域にわたって記録可能状態にある初期のブランクディスクを示している。ディスクの開始位置は、ＮＷＡとなる。このような状態において、１つのＳＲＲだけがディスク上に存在する。これは、図２Ａに示すインビジブルＳＲＲと同じである。このため、ここでのセッションは、１つのエンプティセッションだけが存在するディスクの初期状態を有する。
【００５２】
図４Ｂは、図４Ａのブランクディスクの一部が記録されるか、あるいは図４Ａのセッションがクローズされていない場合を示している。このような状態において、１つのＳＲＲだけがディスク上に存在する。これは、図２Ｂに示すインコンプリートＳＲＲと同じである。このため、ここでのセッションは、１つのインコンプリートセッションだけが存在する状態にある。
【００５３】
図４Ｃは、ディスクが図４Ｂの状態にあるとき、セッションクローズコマンドが実行される場合を示している。このとき、現存するデータ記録領域は、セッションクローズコマンドによって独立したクローズＳＲＲに分離され、新たなエンプティセッションが作成される。換言すると、図４Ｂの全記録領域は、コンプリートセッション＃１を構成するコンプリートＳＲＲ＃１となる。未記録領域は、次いで、エンプティセッションを構成するインビジブルＳＲＲ（図２Ａに示す）となる。図４Ｄは、２つのオープンＳＲＲが図４Ｃの空きセッションに予約される場合を示す。それぞれの新たな予約オープンＳＲＲはエンプティーＳＲＲとなり、ＮＷＡを有する。エンプティセッションの残りの領域は、インビジブルＳＲＲを形成する。その結果、図４Ｃの空きセッションは、インコンプリートセッションに変わる。
【００５４】
図４Ｅは、データが図４Ｄの最初のエンプティーＳＲＲとインビジブルＳＲＲに記録された場合を示している。記録により、最初のエンプティーＳＲＲは、オープン部分記録ＳＲＲに変わり、インビジブルＳＲＲは、インコンプリートＳＲＲに変わる。
【００５５】
図４Ｆは、セッション終了コマンドが図４Ｅの状態から実行されるが、セッションの未記録領域は、パディングなしでクローズされる場合を示している。セッションをクローズするとき、そのセッションに含まれる全てのＳＲＲがクローズされなければならない。例えば、図４Ｅのインコンプリートセッションの現存するデータ記録領域は、セッションクローズコマンドによって独立したコンプリートセッション（コンプリートセッション＃２）となる。コンプリートセッション＃２に含まれる全てのＳＲＲは、クローズＳＲＲに変わって、クローズ部分記録ＳＲＲ＃２、クローズエンプティーＳＲＲ＃３及びコンプリートＳＲＲ＃４を形成する。残りの最外ＳＲＲはオープンＳＲＲとしてインビジブルＳＲＲ＃５となり、インビジブルＳＲＲ＃５を有する新たに予約されたエンプティセッション＃３が作成される。
【００５６】
図４Ｇは、セッションクローズコマンドが図４Ｅの状態から実行されるが、セッションの未記録領域がパディングとともにクローズされる他の場合を示している。すなわち、現在のプロセスは、図４Ｅの状態から図４Ｆまたは図４Ｇのうち何れかの状態に進むことができる。図４Ｇを参照すると、図４Ｅのインコンプリートセッションの現存するデータ記録領域は、セッションクローズコマンドによって独立したコンプリートセッション＃２となる。コンプリートセッション＃２の残りの領域の一部または全ては、上述したように、ダミーデータまたは特定の文字データでパディングされた後、コンプリートセッション＃２に含まれる全てのＳＲＲがクローズＳＲＲに変わる。パディングの結果、３タイプのクローズＳＲＲがコンプリートセッション＃２内に予約される。これらは、パディング後にオープン部分記録ＳＲＲからクローズＳＲＲに変更されたクローズＳＲＲ＃２と、パディング後にオープンエンプティーＳＲＲからクローズＳＲＲに変更されたクローズＳＲＲ＃３と、物理的なユーザデータが通常記録されてからクローズＳＲＲに変更されたコンプリートＳＲＲ＃４である。図４Ｇは、全記録可能な領域がＳＲＲのクローズにあたってパディングされることを示しているが、本発明は、ＳＲＲの一部（例えば、ＬＲＡ後の最初の部分またはクラスタ）だけがパディングされ得るシナリオも網羅している。
【００５７】
本発明によれば、ＳＲＲがクローズされるとき、異なるタイプのＳＲＲを、図４Ｆまたは図４Ｇに示すように、ＳＲＲにパディング動作が行われるかどうかによって作成することができる。このため、ディスクの記録状態を正しく示すために、ＳＲＲの定義されたタイプを区別することができる新たなＳＲＲ情報を記録する方法の必要性がある。
【００５８】
以下、ＳＲＲのタイプを識別する方法を説明する。説明の便宜のために、図１のＳＲＲＩ内のＳＲＲエントリに適用される方法について説明する。本発明によるＳＲＲタイプの識別は、クローズＳＲＲのパディングによって行われ、各種の変形及び変更が本発明においてなし得ることが明らかである。
【００５９】
図５Ａは、本発明によるＳＲＲエントリの第１の実施形態を示している。図５ＡのＳＲＲエントリ構造は、図１の各ＳＲＲエントリ３５に適用されるが、ディスクの任意の他のＳＲＲエントリに適用することができる。図示したように、ＳＲＲエントリ３５は、上述したように、ＳＲＲ状態フィールド３１、開始アドレスフィールド３２、予約領域３３及びＬＲＡフィールド３４を含む。ＳＲＲ状態フィールド３１は、対応するＳＲＲがパディング付きで、またはパディングなしでクローズされたかを区別するために用いられる４ビットＳＲＲ状態情報をその中に担持する。
【００６０】
特に、ＳＲＲ状態フィールド３１内の４ビットのＳＲＲ状態情報のうち１ビット（３１ａ）は、対応するＳＲＲにパディングが行われたか否かを識別するためのパディングフラグ（以下、「Ｐ−フラグ」と称する。）として用いられ、ＳＲＲ状態フィールド３１の残りの３ビット（３１ｂ）は、必要に応じて、標準における将来の変更に対応するための予約領域である。本例では、ＳＲＲ状態フィールド３１の最初のビット（ｂ６３）はＰ−フラグを担持し、ＳＲＲ状態フィールド３１関数の残りの３ビット（ｂ６２−ｂ６０）は、予約領域として機能する。しかしながら、他の変形も可能である。
【００６１】
本例では、Ｐ−フラグが「１ｂ」の値を有する場合、対応するＳＲＲがパディングが行われたクローズＳＲＲであることを意味する。Ｐ−フラグが「０ｂ」の値を有する場合、対応するＳＲＲがパディングが行われていないＳＲＲであることを意味する。他の値をＰ−フラグで用いることもできる。したがって、Ｐ−フラグが値「０ｂ」を有する場合、対応するＳＲＲはオープンＳＲＲまたはクローズＳＲＲとすることができる。しかしながら、対応するＳＲＲがＳＲＲＩヘッダ５０内の「オープンＳＲＲの一覧」に登録されたＳＲＲであれば、これはオープンＳＲＲであることを意味するが、登録されていなければ、これはクローズＳＲＲであることを意味する。
【００６２】
ＳＲＲエントリ３５の開始アドレスフィールド３２において、対応するＳＲＲの開始位置に対応するアドレスが記録される。一般に、これは、物理的なセクター番号（ＰＳＮ）で表される。ＳＲＲエントリ３５の予約領域／フィールド３３は、必要に応じて、標準の将来の変更のために提供される。
【００６３】
ＳＲＲエントリ３５のＬＲＡフィールド３４は、対応するＳＲＲのＬＲＡ情報を提供する。すなわち、対応するＳＲＲの実際に記録されたユーザデータ（パディングデータを除く）の終了アドレスに関する情報が記録される。換言すると、コンプリートＳＲＲの場合に、ＬＲＡ及びＳＲＲの終了アドレスは互いに一致する。しかしながら、部分記録ＳＲＲの場合に、ＬＲＡ及びＳＲＲの終了アドレスは互いに一致しない。ＬＲＡは、物理的なユーザデータが記録される領域のアドレスである。特定のパディングデータがパディング動作によってＳＲＲに記録される場合にも、ＳＲＲのＬＲＡ値は変更されない。また、エンプティーＳＲＲの場合、ＳＲＲのＬＲＡはゼロとなる。というのは、物理的なユーザデータが記録される領域がないためである。
【００６４】
図５Ｂ及び図５Ｃは、本発明の第１の実施形態によるＳＲＲエントリを生成する方法に基づいて図５ＡのＰ−フラグを記録する２つの異なる例を示している。説明の便宜のために、図５Ｂは、ＳＲＲのクローズにおいてパディングが行われなかった図４Ｆの場合を示し、図５Ｃは、ＳＲＲのクローズにおいてパディングが行われた図４Ｇの場合を示している。
【００６５】
図５Ｂを参照すると、この例では、ＳＲＲ番号＃１ないし＃５は５つのＳＲＲにそれぞれ順番に与えられる。ＳＲＲ＃１は、パディングなしのコンプリートＳＲＲであり、これは「０ｂ」のＰ−フラグによって対応するＳＲＲエントリに示される。ＳＲＲ＃２は、パディングなしのクローズ部分記録ＳＲＲであり、これは「０ｂ」のＰ−フラグによって対応するＳＲＲエントリに示される。ＳＲＲ＃３は、パディングなしのクローズエンプティーＳＲＲであり、これは「０ｂ」のＰ−フラグによって対応するＳＲＲエントリに示される。ＳＲＲ＃４は、パディングなしのコンプリートＳＲＲであり、これは「０ｂ」のＰ−フラグによって対応するＳＲＲエントリに示される。ＳＲＲ＃５は、パディングなしのインビジブルＳＲＲであり、これは「０ｂ」のＰ−フラグによって対応するＳＲＲエントリに示される。
【００６６】
図５Ｂの場合に、全てのＳＲＲは、「０ｂ」のＰ−フラグによって示されたように、パディングを有していない。オープンＳＲＲはＳＲＲ＃５（インビジブルＳＲＲ）だけである。このため、ＳＲＲ＃５は、ＳＲＲＩヘッダの「オープンＳＲＲの一覧」フィールド５２に最大１６のオープンＳＲＲのうち「最初のオープンＳＲＲ」として記録される。フィールド５２の残りの「２番目から１６番目のオープンＳＲＲ」フィールドはゼロに設定される。
【００６７】
図５Ｃを参照すると、同様にＳＲＲ番号＃１から＃５が５つのＳＲＲにそれぞれ順次与えられる。ＳＲＲ＃１は、パディングなしのコンプリートＳＲＲであり、これは「０ｂ」のＰ−フラグによって対応するＳＲＲエントリに示される。ＳＲＲ＃２は、パディング付きクローズ部分記録ＳＲＲであり、これは「１ｂ」のＰ−フラグによって対応するＳＲＲエントリに示される。ＳＲＲ＃３は、パディング付きクローズエンプティーＳＲＲであり、これは「１ｂ」のＰ−フラグによって対応するＳＲＲエントリに示される。ＳＲＲ＃４は、パディングなしのコンプリートＳＲＲであり、これは「０ｂ」のＰ−フラグによって対応するＳＲＲエントリに示される。ＳＲＲ＃５は、パディングなしのインビジブルＳＲＲであり、これは「０ｂ」のＰ−フラグによって対応するＳＲＲエントリに示される。
【００６８】
図５Ｃの場合、３つのＳＲＲ＃１、＃４及び＃５は、「０ｂ」のＰ−フラグによって示されるようにパディングを有していない。２つのＳＲＲ＃２及び＃３は、「１ｂ」のＰ−フラグによって示されるようにパディングを有している。オープンＳＲＲは、ＳＲＲ＃５（インビジブルＳＲＲ）である。このため、ＳＲＲ＃５だけがＳＲＲＩヘッダ５０の「オープンＳＲＲの一覧」に「最初のオープンＳＲＲ」として記録される。フィールド５２の残りの「２番目から１６番目のオープンＳＲＲ」フィールドは、ゼロに設定される。
【００６９】
このため、第１の実施形態のように、ＳＲＲエントリのＳＲＲ状態フィールド内にＰ−フラグを定義することにより、異なるタイプのクローズＳＲＲをさらに区別することができる。ＬＲＡ及び開始アドレス情報はＳＲＲエントリ内に存在する。例えば、図３Ｃ、図３Ｄ及び図３Ｅから分かるように、これらのクローズＳＲＲのうち、ＳＲＲは互いに区別できる。というのは、ＬＲＡの位置が互いに異なるためである。しかしながら、図３Ｂ及び図３Ｄに比べ、クローズＳＲＲは同じＬＲＡを有する。この場合、ＬＲＡを通してＳＲＲタイプの識別は困難である。その場合には、Ｐ−フラグを用いてパディング動作に従ってＳＲＲを区別する必要があるかもしれない。同様に、図３Ａ及び図３Ｅにおいて、ＳＲＲのタイプはＰ−フラグを用いてパディング動作に従って区別することができる。
【００７０】
本発明の一実施形態によれば、ＳＲＲのタイプを区別するためには、ＳＲＲエントリ中のＰ−フラグを用いてパディングの存在に関する情報を記録することなく、ＳＲＲのパディングされたクラスタ内にパディングの存否を直接的に表す方法がある。このような方法は、本発明の範囲内に含まれることが明らかである。このような方法において、ＳＲＲの所定のパディングされたデータ（例えば、ダミーデータまたは特定のリアルデータ）の存否について、そのＳＲＲのタイプを区別するために探索することができる。
【００７１】
図６Ａは、本発明によるＳＲＲエントリの第２の実施形態を示す。図６ＡのＳＲＲエントリ構造は図１の各ＳＲＲエントリ３５に適用されるが、ディスクの任意の他のＳＲＲエントリに適用することも可能である。図示したように、ＳＲＲエントリ３５は、上述したように、ＳＲＲ状態フィールド３１、開始アドレスフィールド３２、予約フィールド３３及びＬＲＡフィールド３４を含む。具体的には、４ビットのＳＲＲ状態情報がＳＲＲ状態フィールド３１に格納され、対応するＳＲＲがパディング付きで、またはパディングなしでクローズされたかを区別し、対応するＳＲＲがセッションの開始ＳＲＲであるか否かを判別するために使用される。しかし、図６ＡのＳＲＲエントリの開始アドレスフィールドとＬＲＡフィールドは、図５Ａに示すものと同じであるため、その説明は省く。
【００７２】
ＤＶＤなどの関連技術のディスクは、セッションを区別するために付加的な領域（例えば、ボーダーイン／ボーダーアウト）を要するが、付加的な領域はディスクの全記録容量を減少させる原因となる。このため、本発明は、全ディスクのセッション構造が付加的な領域の割り当てなしでセッションフラグのみを用いて容易にチェックされ得るようにするためにセッションの開始を識別する情報を有利にも提供する。
【００７３】
このため、図６Ａに示すように、ＳＲＲエントリ３５の状態フィールド３１は、対応するＳＲＲにパディングが行われたか否かを識別するためのＰ−フラグを担持する１ビット（３１ａ）、対応するＳＲＲがセッション開始ＳＲＲ（セッションの開始）であるか否かを識別するためのセッションフラグ（以下、「Ｓ−フラグ」と称する）として使用される他のビット（３１ｃ）を含む。状態フィールド３１の残りの２ビット（３１ｄ）は、必要に応じて、標準の将来の変更に対応するための予約領域として残されている。
【００７４】
図５Ａの例のように、図６ＡのＰ−フラグが「１ｂ」の値を有する場合、これは、対応するＳＲＲがパディングが行われたクローズＳＲＲであることを意味する。Ｐ−フラグが「０ｂ」の値を有する場合、これは、対応するＳＲＲがパディングが行われていないＳＲＲであることを意味する。このため、Ｐ−フラグが「０ｂ」の値を有する場合、対応するＳＲＲはオープンＳＲＲまたはクローズＳＲＲである可能性がある。しかし、対応するＳＲＲがＳＲＲＩヘッダ５０内の「オープンＳＲＲの一覧」フィールド５２に登録されているＳＲＲであれば、これは、対応するＳＲＲがオープンＳＲＲであることを意味するが、登録されていなければ、これは、対応するＳＲＲがクローズＳＲＲであることを意味する。
【００７５】
さらに、図６Ａの例において、Ｓ−フラグが「１ｂ」の値を有する場合、これは、対応するＳＲＲがセッション開始ＳＲＲであることを意味する。Ｓ−フラグが「０ｂ」の値を有する場合、これは、対応するＳＲＲがセッション開始ＳＲＲではないことを意味する。他の値は、Ｓ−フラグ及び／またはＰ−フラグのために使用することができる。
【００７６】
図６Ｂ及び図６Ｃは、本発明の第２の実施形態に従ってＳＲＲエントリを作成する方法に基づいて図６ＡのＰ−フラグ及びＳ−フラグを記録する２つの例を示す。説明の便宜のために、図６Ｂは、ＳＲＲのクローズにおいてパディングが行われていない図４Ｆの場合を示し、図６Ｃは、ＳＲＲのクローズにおいてパディングが行われた図４Ｇの場合を示している。
【００７７】
図６Ｂを参照すると、本例において、ＳＲＲ番号＃１から＃５は５つのＳＲＲにそれぞれ順次割り当てられ、セッションは２つのコンプリートセッション＃１及び＃２と、１つのエンプティセッション＃３を含む。
【００７８】
図６ＢのＳＲＲ＃２は、パディングなしクローズ部分記録ＳＲＲであり、これは「０ｂ」のＰ−フラグによって対応するＳＲＲエントリＳＲＲ＃２エントリに示される。ＳＲＲ＃２エントリのＳ−フラグは「１ｂ」の値を有し、これは、ＳＲＲ＃２がセッション開始ＳＲＲ、すなわち、セッション＃２の開始ＳＲＲであるためである。
【００７９】
図６ＢのＳＲＲ＃３は、パディングなしのクローズエンプティーＳＲＲであり、これは「０ｂ」のＰ−フラグによって対応するＳＲＲ＃３エントリに示される。ＳＲＲ＃３エントリのＳ−フラグは「０ｂ」の値を有し、これは、ＳＲＲ＃３がセッション＃２の開始ＳＲＲではないためである。
【００８０】
図６ＢのＳＲＲ＃４は、パディングなしのコンプリートＳＲＲであり、これは「０ｂ」のＰ−フラグによって対応するＳＲＲ＃４エントリに示される。ＳＲＲ＃４エントリのＳ−フラグは「０ｂ」の値を有し、これは、ＳＲＲ＃４がセッション＃２の開始ＳＲＲではないためである。
【００８１】
図６ＢのＳＲＲ＃５は、パディングなしのインビジブルＳＲＲであり、これは「０ｂ」のＰ−フラグによって対応するＳＲＲ＃５エントリに示される。ＳＲＲ＃５エントリのＳ−フラグは「１ｂ」の値を有し、これは、ＳＲＲ＃５がセッション＃３の開始ＳＲＲであるためである。
【００８２】
図６Ｂの場合、全てのＳＲＲは、「０ｂ」のＰ−フラグにより示されたように、パディングを有していない。セッション開始ＳＲＲ＃１、＃２及び＃５の場合、これらのＳ−フラグは「１ｂ」の値を有する。オープンＳＲＲはＳＲＲ＃５（インビジブルＳＲＲ）である。このため、ＳＲＲ＃５だけがＳＲＲＩヘッダ５０内の「オープンＳＲＲの一覧」フィールド５２に「最初のオープンＳＲＲ」として記録される。
【００８３】
図６Ｃを参照すると、この例において、ＳＲＲ番号＃１から＃５は５つのＳＲＲにそれぞれ順次割り当てられ、セッションは２つのコンプリートセッション＃１及び＃２と、１つのエンプティセッション＃３を含む。
【００８４】
図６ＣのＳＲＲ＃２は、パディング付きクローズＳＲＲ＃２であり、これは「１ｂ」のＰ−フラグによって対応するＳＲＲエントリ（ＳＲＲ＃２エントリ）に示される。ＳＲＲ＃２エントリのＳ−フラグは「１ｂ」の値を有し、これは、ＳＲＲ＃２がセッション開始ＳＲＲ、すなわち、セッション＃２の開始ＳＲＲであるためである。
【００８５】
図６ＣのＳＲＲ＃３は、パディング付きクローズエンプティーＳＲＲであり、これは「１ｂ」のＰ−フラグによって対応するＳＲＲ＃３エントリに示される。ＳＲＲ＃３エントリのＳ−フラグは「０ｂ」の値を有し、これは、ＳＲＲ＃３がセッション＃２の開始ＳＲＲではないためである。
【００８６】
図６ＣのＳＲＲ＃４は、パディングなしのコンプリートＳＲＲであり、これは「０ｂ」のＰ−フラグによって対応するＳＲＲ＃４エントリに示される。ＳＲＲ＃４エントリのＳ−フラグは「０ｂ」の値を有し、これは、ＳＲＲ＃４がセッション＃２の開始ＳＲＲではないためである。
【００８７】
図６ＣのＳＲＲ＃５は、パディングなしのインビジブルＳＲＲであり、これは「０ｂ」のＰ−フラグによって対応するＳＲＲ＃５エントリに示される。ＳＲＲ＃５エントリのＳ−フラグは「１ｂ」の値を有し、これは、ＳＲＲ＃５がセッション＃３の開始ＳＲＲであるためである。
【００８８】
図６Ｃの場合、３つのＳＲＲ＃１、＃４及び＃５は「０ｂ」のＰ−フラグにより示されたように、パディングを有していない。２つのＳＲＲ＃２及び＃３は、「１ｂ」のＰ−フラグにより示されたように、パディングを有している。セッション開始ＳＲＲ＃２及び＃３において、これらのＳ−フラグは、「１ｂ」と共に記録される。また、図６Ｂの場合と同様に、オープンＳＲＲは、ＳＲＲ＃５（インビジブルＳＲＲ）だけである。このため、ＳＲＲ＃５だけがＳＲＲＩヘッダ５０の「オープンＳＲＲの一覧」フィールド５２に「最初のオープンＳＲＲ」として記録される。
【００８９】
このため、第２の実施形態のように、ＳＲＲ状態情報内に「Ｐ−フラグ」及び「Ｓ−フラグ」の両方を定義することによって、クローズＳＲＲはパディングを用いて区別することが可能である。異なるタイプのセッションはセッションの開始及び終了に付加的な領域を割り当てなくても区別することができ、そのため光記録／再生動作の効率を格段に高めることができる。
【００９０】
本発明によるディスクの記録状態を示すＳＲＲＩを記録し、更新する方法について説明する。具体的には、特定のデータがＳＲＲをクローズするにあたってパディングされ、損失したＳＲＲＩは、パディングされたＳＲＲを用いて効率よく復元できる。
【００９１】
図７Ａは、全体の領域にわたって記録可能な状態にある初期のブランクディスクを示している。ディスクの開始位置はＮＷＡとなる。このような状態において、１つのＳＲＲだけがディスクに存在する。これは、図２Ａに示すインビジブルＳＲＲと同じである。このため、セッションは、１つのエンプティセッションだけが存在するディスク初期状態にある。これは、ＳＲＲＩがまだ記録されていないブランクディスクの場合である。
【００９２】
図７Ｂは、図７Ａのブランクディスクの一部がデータで記録されているが、セッションがクローズされていない場合を示している。このような状態において、１つのＳＲＲ（ＳＲＲ＃１）だけがディスクに存在する。これは、図２Ｂに示すインコンプリートＳＲＲと同じである。このため、ディスクは、１つのインコンプリートセッションだけが存在する状態にある。
【００９３】
図７Ｃは、ディスクが図７Ｂの状態にあるとき、ディスクの管理領域にＳＲＲＩを記録するプロセスを示す。説明の便宜のために、図１に示すディスク構造及びＳＲＲＩ構造の全ての異なる構成要素のうちある一部だけが示されている。例えば、（ＳＲＲＩ＋ＴＤＤＳ）または（ＴＤＦＬ＋ＴＤＤＳ）が、上述したように、ディスクのＴＤＭＡ０などのＴＤＭＡの各クラスタに記録されるけれども、ＳＲＲＩだけが図７ＣのＴＤＭＡ０に示されており、ＴＤＦＬ及び／またはＴＤＤＳは、明確化のために省かれている。さらに、図１に示すＳＲＲＩの異なるフィールドのうち「オープンＳＲＲの一覧」フィールド５２及び「ＳＲＲエントリの一覧」フィールド３０だけが示されている。
【００９４】
図７Ｃのディスクの記録状態は、１つのオープンＳＲＲＳＲＲ＃１だけが図７Ｂのように全てのディスク領域に存在する場合である。図７Ｃに示すように、インコンプリートＳＲＲ＃１が図７Ｂのようにセッションをクローズすることなく形成されるとき、ＳＲＲ＃１に関係するＳＲＲＩ＃１（６０ａ）が生成され、ＴＤＭＡ０に記録される。ＳＲＲＩ＃１（６０ａ）において、オープンＳＲＲ＃１のＳＲＲ番号は、その「オープンＳＲＲの一覧」フィールド５２ａに記録される。ＳＲＲＩ＃１（６０ａ）の「ＳＲＲエントリの一覧」フィールド３０ａには、ＳＲＲ＃１に関係する１つのＳＲＲエントリ３５ａだけが存在する。ＳＲＲエントリ３５ａ（または、後述するＳＲＲエントリ３５ｂ−３５ｐ）は、上述した図５Ａまたは図６ＡのＳＲＲエントリ構造を有することができる。
【００９５】
図７Ｄは、本発明の一実施形態による、ＳＲＲＩヘッダに記録される「オープンＳＲＲの一覧」フィールドの詳細な構造を示している。図７Ｄに示すこのフィールドの構造は、フィールド５２及び５２ａ−５２ｆ（後述する）など、本発明の任意の「オープンＳＲＲの一覧」フィールドに適用可能である。このフィールドに格納された情報は、任意のオープンＳＲＲの位置を識別するのに使用される。このフィールドの使用については、以下に詳細に説明する。
【００９６】
オープンＳＲＲエントリ番号は、ＳＲＲＩの「オープンＳＲＲの一覧」フィールドに、オープンＳＲＲエントリの位置に関する情報として記録される。すなわち、オープンＳＲＲエントリの位置は「オープンＳＲＲ番号」を用いて識別され、この場合、ある所与の時間に許容されるオープンＳＲＲの総数は、この例において最大１６個である。２バイトは、１６の異なるオープンＳＲＲ番号のそれぞれを格納するように割り当てられる。
【００９７】
ディスク上で動作を行うために、記録／再生装置は、光ディスクがロードされるときにディスクの記録可能な位置を判定しなければならない。これは、任意のオープンＳＲＲからＮＷＡ値を取得することにより可能である。このため、記録／再生装置は、ディスク上の記録可能な位置を判定することができるようにディスク上の任意のオープンＳＲＲの位置を知る必要がある。しかしながら、特定のＳＲＲがオープンＳＲＲであるか、またはクローズＳＲＲであるかを直接識別する情報がないため、本発明はＳＲＲＩのヘッダに「オープンＳＲＲの一覧」フィールドを提供し、このフィールドにアクセスしてＳＲＲ番号によって任意のオープンＳＲＲの位置を取得する。一旦オープンＳＲＲ番号が識別されると、対応するＳＲＲ番号エントリは、ＳＲＲＩからアクセスされてオープンＳＲＲの正確な位置を（ＳＲＲエントリの開始アドレスフィールド中の開始アドレスにアクセスすることにより）取得することができる。このようにして、光記録／再生装置は、オープンＳＲＲエントリ情報をより簡単に読み取ることができる。
【００９８】
本発明によれば、ＳＲＲ番号がＳＲＲＩの「オープンＳＲＲの一覧」フィールドに記録されるＳＲＲだけがオープンＳＲＲであると考えられる。オープンＳＲＲがクローズＳＲＲに変更される場合、変更されたＳＲＲのＳＲＲ番号は、「オープンＳＲＲの一覧」フィールドから消去または除去される。異なるように適用すると、例えば、クローズコマンドに応答して特定のオープンＳＲＲをクローズするために、そのＳＲＲＩのＳＲＲは、ＳＲＲＩの「オープンＳＲＲの一覧」フィールドから除去される。「オープンＳＲＲの一覧」フィールドからのＳＲＲ番号の除去は、対応するＳＲＲのクローズを示す。
【００９９】
図８Ａは、ディスクが図７Ｂの状態にあるときに、セッションクローズコマンドが実行される場合を示している。図８Ａに示すように、既存のデータ記録領域は、セッションクローズコマンドにより独立したクローズＳＲＲに分離され、新たなセッションが生成される。換言すると、図７Ｂの完了記録領域は、コンプリートセッション＃１を構成するコンプリートＳＲＲ＃１となる。未記録領域は、エンプティセッション＃２を構成するインビジブルＳＲＲ＃２となる。
【０１００】
図８Ｂは、図８Ａのようなディスク状態に関係する場合にディスクの記録状態を記録するプロセスを示している。図８Ｂに示すように、ＳＲＲＩ＃２（６０ｂ）は、以前に記録されたＳＲＲＩ＃１（６０ａ）の次にＴＤＭＡ０に記録される。図８Ａのディスク記録状態は、１つのオープンＳＲＲ（ＳＲＲ＃２）及び１つのクローズＳＲＲ（ＳＲＲ＃１）だけが全ディスク領域に存在する場合であるので、対応するオープンＳＲＲ番号（ＳＲＲ＃２）は、ＳＲＲＩ＃２（６０ｂ）の「オープンＳＲＲの一覧」フィールド５２ｂに記録される。さらに、２つのＳＲＲエントリ（ＳＲＲ＃１とＳＲＲ＃２）に関する情報は、ＳＲＲエントリ３５ｂ、３５ｃとしてＳＲＲＩ＃２（６０ｂ）の「ＳＲＲエントリの一覧」フィールド３０ｂに記録される。
【０１０１】
図８Ｂにおいて、クローズＳＲＲエントリは、陰影マークを用いて表示されている。図示していないが、ＴＤＭＡ０におけるＳＲＲＩ＃２（６０ｂ）の記録と共に、更新されたＴＤＤＳ情報などの他の管理情報もＴＤＭＡ０の対応クラスタ（または記録部）に記録されることが理解されよう。
【０１０２】
図９Ａは、２つのオープンＳＲＲが図８Ａのディスク状態から新たな記録のために予約される場合を示している。図９Ａに示すように、新たに予約されたオープンＳＲＲは、太い矢印で示されているように、それぞれが適当なＮＷＡを有するオープンエンプティーＳＲＲ＃２およびオープンエンプティーＳＲＲ＃３となる。残りの領域は、インビジブルオープンＳＲＲ＃４となる。セッションは、コンプリートセッション＃１とエンプティセッションからインコンプリートセッションに変更されたセッション＃２とを含む。
【０１０３】
図９Ｂは、図９Ａのディスク状態に関係する場合にディスクの記録状態を記録するプロセスを示している。図９Ｂに示すように、他のＳＲＲＩ＃３（６０ｃ）は、以前に記録されたＳＲＲＩ＃２（６０ｂ）の次にＴＤＭＡ０に記録される。図９Ａのディスク記録状態は、３つのオープンＳＲＲ（ＳＲＲ＃２、＃３、＃４）と、１つのクローズＳＲＲ（ＳＲＲ＃１）が存在する場合であるので、対応するオープンＳＲＲ番号（ＳＲＲ＃２、＃３、＃４）は、ＳＲＲＩ＃３（６０ｃ）の「オープンＳＲＲの一覧」フィールド５２ｃに記録される。さらに、全ての４つのＳＲＲエントリ（ＳＲＲ＃１−＃４）に関する情報は、ＳＲＲ＃３（６０ｃ）の「ＳＲＲエントリの一覧」フィールド３０ｃにＳＲＲエントリ３５ｄ−３５ｇとしてそれぞれ記録される。
【０１０４】
図９Ｂにおいて、クローズＳＲＲエントリは、陰影マークを用いて表示されている。図示されていないが、ＴＤＭＡ０にＳＲＲＩ＃３（６０ｃ）の記録と共に、更新されたＴＤＤＳ情報などの他の管理情報もＴＤＭＡ０の対応クラスタ（または記録部）に記録されることが理解されよう。
【０１０５】
図１０Ａは、図９Ａのディスク状態において、最初のエンプティーＳＲＲ（ＳＲＲ＃２）及びインビジブルＳＲＲ（ＳＲＲ＃４）にデータが記録される場合を示している。その結果、最初のエンプティーＳＲＲはオープン部分記録ＳＲＲ＃２に変更され、インビジブルＳＲＲはインコンプリートＳＲＲ＃４に変更されるが、オープンエンプティーＳＲＲ＃３は変更されない。
【０１０６】
図１０Ｂは、図１０Ａのようなディスク状態に関係する場合にディスク記録状態を記録するプロセスを示している。図１０Ｂに示すように、他のＳＲＲＩ＃４（６０ｄ）は、以前に記録されたＳＲＲＩ＃３（６０ｃ）の次にＴＤＭＡ０に記録される。図１０Ａのディスク記録状態は、３つのオープンＳＲＲ（ＳＲＲ＃２、＃３、＃４）と１つのクローズＳＲＲ（ＳＲＲ＃１）が存在する場合であるので、対応するオープンＳＲＲ番号（ＳＲＲ＃２、＃３、＃４）は、ＳＲＲＩ＃４（６０ｄ）の「オープンＳＲＲの一覧」フィールド５２ｄに記録される。さらに、全ての４つのＳＲＲエントリ（ＳＲＲ＃１−＃４）に関する情報は、ＳＲＲ＃４（６０ｄ）の「ＳＲＲエントリの一覧」フィールド３０ｄにＳＲＲエントリ３５ｈ−３５ｋとしてそれぞれ記録される。
【０１０７】
図１０Ｂにおいて、クローズＳＲＲエントリは、陰影マークを用いて表示されている。図示されていないが、ＴＤＭＡ０にＳＲＲＩ＃４（６０ｄ）の記録と共に、更新されたＴＤＤＳ情報などの他の管理情報もＴＤＭＡ０の対応クラスタ（または記録部）に記録されることが理解されよう。
【０１０８】
図１０ＢのオープンＳＲＲの位置及びＳＲＲエントリの数は、図９Ｂの場合と同じである。しかしながら、特定のオープンＳＲＲの記録が図１０Ａに示すように行われたため、このような記録が行われたオープンＳＲＲエントリ内のＬＲＡ情報が変更される。このため、追加的に記録可能なＮＷＡ位置も変更される。
【０１０９】
図１１Ａは、セッションクローズコマンドが図１０Ａのディスク状態で実行されるが、そのオープンＳＲＲは、オープンＳＲＲの一部の追加的に記録可能な領域がパディングされた後にクローズされる場合を示している。パディング動作において、オープンＳＲＲの追加的に記録可能な領域の全体または一部は、上述したように、選択的にパディングされることもある。パディングは、上述したように、ダミーデータ（例えば、ゼロ）または特定のリアルデータ（例えば、文字コード「ＣＬＳＤ」）をパディングデータとして用いて行われる。すなわち、図１１Ａのパディング動作は、図３Ｄ及び図３Ｅと関連して上述したものと同じである。
【０１１０】
図１１Ａに示すように、現存するデータ記録領域は、セッションクローズコマンドによって独立したコンプリートセッションとなり、そのセッションに含まれる全てのＳＲＲがクローズＳＲＲに変更される。例えば、セッションクローズコマンドに応答して、各オープンＳＲＲの一部（例えば、ＬＲＡ後の最初のクラスタ）がパディングされ、ＳＲＲはクローズされる。この場合、ＳＲＲエントリに記録されたＬＲＡ情報は、実際のユーザデータが記録される最後に記録された領域を意味し、ダミーデータ部分は、ＬＲＡ位置の判定に影響を及ぼさない。クローズコマンドが実行された後に、これは、新たに予約された完了セッション＃２を構成する、クローズ部分記録ＳＲＲ＃２、クローズエンプティーＳＲＲ＃３及びコンプリートＳＲＲ＃４という結果になる。残りの最外ＳＲＲは、エンプティセッション＃３を構成するインビジブル（オープン）ＳＲＲ＃５となる。
【０１１１】
図１１Ｂは、図１１Ａのようなディスク状態に関係する場合にディスク記録状態を記録するプロセスを示している。図１１Ｂに示すように、他のＳＲＲＩ＃５（６０ｅ）は、以前に記録されたＳＲＲＩ＃４（６０ｄ）の次にＴＤＭＡ０に記録される。図１１Ａのディスク記録状態は、１つのオープンＳＲＲ（ＳＲＲ＃５）と４つのクローズＳＲＲ（ＳＲＲ＃１−＃４）だけが存在する場合であるので、対応するオープンＳＲＲ番号（ＳＲＲ＃５）は、ＳＲＲＩ＃５（６０ｅ）の「オープンＳＲＲの一覧」フィールド５２ｅに記録される。さらに、全ての５つのＳＲＲエントリ（ＳＲＲ＃１−＃５）に関する情報は、ＳＲＲＩ＃５（６０ｅ）の「ＳＲＲエントリの一覧」フィールド３０ｅにＳＲＲエントリ３５ｌ−３５ｐとしてそれぞれ記録される。
【０１１２】
図１１Ｂにおいて、クローズＳＲＲエントリは、陰影マークを用いて表示されている。図示されていないが、ＴＤＭＡ０にＳＲＲＩ＃５（６０ｅ）の記録と共に、更新されたＴＤＤＳ情報などの他の管理情報もＴＤＭＡ０の対応クラスタ（または記録部）に記録されることが理解されよう。
【０１１３】
ダミーデータがクローズコマンドによりパディングされるＳＲＲ＃２及びＳＲＲ＃３の場合に、実際のユーザデータが記録される最終位置は、対応するＳＲＲエントリのＬＲＡフィールドに記録される。
【０１１４】
また、上述したように、ＳＲＲエントリの状態フィールドにＰ−フラグが存在する場合、対応するクローズＳＲＲがパディングによりクローズされることが分かる。ＳＲＲエントリにＰ−フラグが存在しない場合、対応するＳＲＲがパディングされたＳＲＲであること、そのＬＲＡの後のＳＲＲ領域の記録状態を調べることにより、すなわち、ＳＲＲのＮＷＡ（ＬＲＡの後）における特定のパディングデータの存否をチェックすることにより判定することができる。
【０１１５】
図７Ａないし図１１Ｂから分かるように、ＳＲＲＩは、現在のディスクの記録状態を示す情報である。記録／再生装置は、対応するディスクがロードされるとき、管理領域に最終的に記録された最新ＳＲＲＩ（上述の例におけるＳＲＲＩ＃５）をチェックしなければならない。最新ＳＲＲＩがディスクの最終記録状態を正しく示しているので、追加的に記録されたＳＲＲの位置をチェックすることができる。
【０１１６】
しかしながら、ディスクを使用している最中にいきなり電源が切られたり、ディスクが損傷を受けたりした場合、ディスクの最終ＳＲＲＩは、正しく読み取れない可能性がある。このとき、最終記録状態は、非損傷ＳＲＲＩのうち最新のＳＲＲＩを用いて再構成される必要がある。本発明によれば、ＳＲＲは、ＳＲＲがクローズされるとき、パディング動作でパディングされ、このパディング情報は、ディスクの最新ＳＲＲＩが損傷された状態にあるときにも、ディスクの最終的な記録状態を再構成するのに使用することができる。これを通じて、ディスクの現在の記録状態及び最新ＳＲＲＩを回復することができる。
【０１１７】
図１２、図１３Ａ及び図１３Ｂは、本発明による追記型光ディスクの記録方法を示している。この方法は、最新ＳＲＲＩが損傷を受けたときにもディスクの最新ＳＲＲＩを回復し、最新ＳＲＲＩから取得された最終記録状態を用いて記録／再生を行うことができる。
【０１１８】
対応するＳＲＲＩが欠陥のある領域と判定され、記録情報が信頼できない場合、ＳＲＲＩは、損傷を受けたと言われる。最新ＳＲＲＩが損傷を受けた場合、これは、ディスクの最終記録状態が最新ＳＲＲＩから取得できないことを意味する。このため、ディスクの記録可能な位置を知ることができない。最悪の場合、ディスク自体がもう使用できない。
【０１１９】
本発明は、最新ＳＲＲＩが損傷を受けたとき、ディスクの最終記録状態を正しく回復する方法を提供する。特に、図１２は、本発明の実施形態に従ってＢＤ−ＷＯなどの追記型光ディスクの最終記録状態を回復し、ディスク上での記録／再生動作を行う方法を例示するフローチャートである。ディスクは、上述したように、ディスク構造及びＳＲＲＩ構造を含む。
【０１２０】
図１２を参照して、ディスクが図１４に示すように、光記録／再生装置にロードされる場合、管理領域（例えば、ＴＤＭＡ０）内に記録された最新ＳＲＲＩが読み出される。次いで、読み取られたＳＲＲＩが損傷を受けたかどうかがチェックされる（Ｓ１０）。
【０１２１】
最新ＳＲＲＩが損傷を受けていない場合、最終ディスク記録状態は、最新ＳＲＲＩから取得される（Ｓ２１）。次いで、最新ＳＲＲＩを用い、追加的に読み取り可能な領域にのみ記録が行われ、そして／または、既に記録された領域に対して再生動作が行われる（Ｓ２２）。このような領域の情報は、最新ＳＲＲＩから取得される。
【０１２２】
他方、ステップＳ１０により、最新ＳＲＲＩが損傷を受けたと判定されると、非損傷ＳＲＲＩのうち最新ＳＲＲＩが判定される（Ｓ３１）。次いで、この最新の非損傷ＳＲＲＩが読み出される（Ｓ３２）。損傷を受けたＳＲＲＩは、ディスクの実際の記録状態及び最新の非損傷ＳＲＲＩを用いて回復することができる（Ｓ３３）。ステップＳ３３は、オプションのステップとすることができる。追加的に記録された領域に記録が行われ、そして／または、再生動作が既に記録された領域に対して行われる（Ｓ３４）。このような領域に関する情報は、最新の非損傷ＳＲＲＩ及び／またはディスクの実際の記録された状態から判定可能である。記録／再生ステップ（Ｓ３４）の後に、新たに変更された記録状態は、管理領域内の新たなＳＲＲＩとして記録することもできる。
【０１２３】
図１３Ａ及び図１３Ｂは、最新ＳＲＲＩ（図１１Ｂの例におけるＳＲＲＩ＃５）が損傷を受けたとき、最終的に記録された状態を回復する図１２のステップＳ３３の一例を示す。説明の便宜のために、図７Ａから図１１ＢのＳＲＲＩ記録方法は、一例として説明される。
【０１２４】
図１３Ａに示すように、ＳＲＲＩが通常の状態にある場合、ＳＲＲＩ＃５（６０ｅ）は、ディスクの最新ＳＲＲＩとなる。しかしながら、ＳＲＲＩ＃５が損傷を受けた場合、記録／再生装置は、非損傷ＳＲＲＩのうちから最新のＳＲＲＩを読み取る。この例において、ＳＲＲＩ＃４（６０ｄ）は、非損傷ＳＲＲＩ＃１−＃４のうち最新のＳＲＲＩである。
【０１２５】
図１１Ａのステップ６と関連付けられた実際の記録状態は、図１１Ｂに示すように書込まれたＳＲＲＩ＃５（６０ｅ）から判定可能である。しかし、ＳＲＲＩ＃５（６０ｅ）が損傷を受けたので、記録／再生装置によりチェックできる最新のＳＲＲ情報は、ＳＲＲＩ＃４（６０ｄ）である。しかし、ＳＲＲＩ＃４は、ＳＲＲＩ＃５がディスクの最終の記録状態情報を担持しているので、ディスクの最終記録状態を必ずしも担持していない。それで、ＳＲＲＩ＃５を用いることなく、ディスクの最終記録状態を回復するために、ＳＲＲＩ＃４及びディスクの実際の最終記録状態は、比較される必要がある。これは、次のようにして行われる。
【０１２６】
記録／再生装置は、オープンＳＲＲの位置及びＳＲＲＩ＃４からの関連ＬＲＡ情報をチェックする。図１３Ａの例において、これは、３つのオープンＳＲＲ＃２、＃３及び＃４があるＳＲＲＩ＃４（６０ｄ）の「オープンＳＲＲの一覧」フィールド５２ｄから判定される。次いで、ＳＲＲＩ＃４（６０ｄ）の「ＳＲＲエントリの一覧」フィールド３０ｄからこれらオープンＳＲＲに対応するＳＲＲエントリのＬＲＡフィールドにアクセスすることによって、ＬＲＡが取得され、使用されて、対応するＳＲＲが本当にゼロオープンＳＲＲであるかどうかを検証する。これに関し、ＳＲＲＩ＃４（６０ｄ）のフィールド５２ｄにおいて識別されるオープンＳＲＲだけが調べられる。クローズＳＲＲで記録された位置は、検証されないかもしれない。一旦オープンＳＲＲがクローズＳＲＲに変更されると、クローズＳＲＲは、オープンＳＲＲには変更できない。結果として、最終ＳＲＲ情報の回復は、オープンＳＲＲのそれぞれがクローズＳＲＲに変更されたか否かをチェックすることにより可能となる。
【０１２７】
ＳＲＲＩ＃４（６０ｄ）のフィールド５２ｄにおいてオープンＳＲＲとして識別されるＳＲＲ＃２及び＃３の場合に、ＳＲＲ＃２及び＃３のそれぞれは、図１１Ａから分かるように（実際の最終ディスク記録状態）、所定のパディングデータ（例えば、ダミーデータ）がそのＬＲＡ（エントリのＬＲＡフィールドにおいて識別される）の後に記録されたか否かを判定するために調べられる。パディングが検出されると、記録／再生装置は、対応するオープンＳＲＲがクローズＳＲＲに変更されたと判断する。
【０１２８】
ＳＲＲＩ＃４のフィールド５２ｄからオープンＳＲＲとして認識されるＳＲＲ＃４の場合に、記録／再生装置は、ＳＲＲ＃４を調べて図１１ＡのそのＬＲＡ位置（実際の最終ディスク記録状態）の後にパディングデータ（例えば、ダミーデータ）が存在するかどうかを判定する。ＳＲＲ＃４は、実際の最終ディスク記録状態においてオープンＳＲＲとして分析することができる。また、ＳＲＲ＃４のＬＲＡ位置の後の領域が記録可能であると分かる。すなわち、この領域がＮＷＡである。そして、記録／再生装置において、オリジナルＳＲＲ＃４の既に記録された領域は、クローズＳＲＲ（新たなクローズＳＲＲ＃４）と判定され、オリジナルＳＲＲ＃４の記録可能な領域だけがオープンＳＲＲ（新たなＳＲＲ＃５）として分析される。このように、損傷を受けたＳＲＲＩ＃５のコンテンツは、上記の分析結果を用いることにより再構成することができる。さらに、記録／再生装置により記録動作を行うのに必要な情報が追加的に記録可能な位置情報ＮＷＡであるので、古いそして新たなＳＲＲ＃４と関連するＮＷＡ位置は変更されず、これにより記録／再生装置により使用することができる。
【０１２９】
図１３Ｂは、上述したように、図１３Ａのプロセスにより最新のＳＲＲＩ＃５の回復の結果を示している。この結果は、実際のディスクの最終記録状態と一致する。したがって、記録／再生装置は、管理領域内の選択的に回復された最新のＳＲＲＩ＃５を再度記録し（このとき、ＳＲＲＩ＃６（６０ｆ）として）、または追加的に記録可能な領域にのみ記録を行う。ＳＲＲＩ＃６（６０ｆ）は、ＳＲＲ＃５を識別する「オープンＳＲＲの一覧」フィールド５２ｆと、ＳＲＲ＃１−＃５にそれぞれ対応するＳＲＲエントリ３５ｑ−３５ｕを含む「ＳＲＲエントリの一覧」フィールド３０ｆを含む。また、回復されたＳＲＲＩ＃５がＳＲＲＩ＃６として記録されていない場合でも、データ記録の回復されたＮＷＡ情報から行われ、回復されたＮＷＡにデータを記録することにより変更される記録状態は、新たなＳＲＲＩ＃６として記録される。
【０１３０】
図１４は、本発明による光ディスク記録／再生装置を示している。この装置または他の好適な装置またはシステムは、本明細書において論議された本発明の方法及びディスク及び／またはＳＲＲＩ構造を実現するために使用することができる。
【０１３１】
図１４を参照すると、光ディスク記録／再生装置は、光ディスクに記録及び／または再生するための記録／再生部１０と、記録／再生部１０を制御するための制御部２０を含む。記録／再生装置の全ての要素は、動作可能に結合されている。制御部２０は、記録／再生部１０に、ディスク上のＳＲＲ／セッションなどの特殊の記録領域に／記録領域から記録及び／または再生するためのコマンドを送信する。記録／再生部１０は、制御部２０のコマンドに従ってディスクに／ディスクからデータを記録及び／または再生する。
【０１３２】
記録再生部１０は、インタフェース部１２、ピックアップ部１１、データプロセッサ１３、サーボ部１４、メモリ１５及びマイコン１６を含む。インタフェース部１２は、制御部２０などの外部装置と通信する。ピックアップ部１１は、光ディスクに直接的にデータを記録または再生する。データプロセッサ１３は、ピックアップ部１１から再生信号を受け取り、好適な信号を復元し、光ディスクに適した信号を変調し、その信号を送信する。サーボ部１４は、ピックアップ部１１を制御して光ディスクから信号を読み取ったり、光ディスクに信号を記録したりする。メモリ１５は、本明細書で述べた管理情報を含む各種のデータおよび情報を一時的に格納する。マイコン１６は、記録／再生部１０の構成要素を制御する。図１４に示す記録／再生装置は、パディング動作を選択的に行うことができるので、設計者は、記録／再生装置をより自由に設計することができる。記録／再生部１０は、パディング動作中に特定のデータを自動的に格納することができる。
【産業上の利用可能性】
【０１３３】
本発明による光ディスクの記録／再生方法は、主に２つの部分に分けることができる。まず、図４ないし図６Ｃの場合のように、選択的なクローズＳＲＲにおいてパディングが判定され、パディングが行われたか否かを識別するための情報（例えば、Ｐ−フラグ）が記録される。第２に、図７Ａないし図１３Ｂの場合のように、パディングがＳＲＲで行われたかを判定するためにＳＲＲを調べることによって、ＳＲＲＩが効果的に回復される。換言すると、クローズＳＲＲのパディングの存否は、選択的事項である。しかしながら、本発明によれば、パディング付きＳＲＲをクローズする場合は、データの復元に一層有利になる。
【０１３４】
本発明の一実施形態による光ディスクの記録／再生方法を詳細に説明する。先ず、光ディスクが記録／再生装置にロードされる場合、光ディスクのプリセットされた管理領域に最新のディスク管理情報として記録されたＳＲＲＩが、ＳＲＲＩのＳＲＲエントリ及びヘッダと共に読み取られ、この読み出された情報は、記録／再生部１０のメモリに一時格納される。最新のディスク記録状態は、ＳＲＲＩ内に記録されるので、オープンＳＲＲは、ＳＲＲＩヘッダ情報を通じて識別可能である。ディスクの記録または未記録状態は、ＳＲＲＩヘッダ情報を通じてチェックすることができる。また、パディングの存否は識別可能である。これがディスクの記録／再生において使用することができる。
【０１３５】
例えば、マイコン１６は、ＳＲＲＩからディスク内に存在するＳＲＲの状態を正確にチェックすることができ、それゆえ記録可能な位置（ＮＷＡ）をチェックされたオープンＳＲＲから知ることができる。また、パディングの存否は、上述したようにチェックすることができる。ＳＲＲが制御部２０のクローズコマンドによりクローズされる場合、マイコン１６は、パディング付きのクローズか、またはパディングなしのクローズを選択することができる。また、制御部２０の特定のコマンドに応答してパディングなしでＳＲＲをクローズすることもできる。
【０１３６】
パディングによりＳＲＲ状態が変更される場合、対応するＳＲＲエントリのＰ−フラグが変更され、他の記録／再生装置がこの情報を利用できるようになる。このような機能は、記録再生部１０の「自動パディング機能」と名付けることができる。この機能は、パディングの動作時間を短縮するので有利である。本発明によれば、所望の性能を有する記録／再生装置は、ＳＲＲのタイプを定義し、ＳＲＲ及びＳＲＲＩを記録する方法を提供することにより、様々な方式で設計できる。
【０１３７】
本発明による他の記録／再生方法を説明する。まず、光ディスクが記録／再生装置にロードされる場合、制御部２０は、ピックアップ部１１を制御してＴＤＭＡに記録された最新ＳＲＲＩを読み出し、最新ＳＲＲＩが損傷を受けたか否かを判定する。最新ＳＲＲＩが損傷を受けている場合、最新ＳＲＲＩは、図１２、図１３Ａ及び図１３Ｂに示すように、非損傷ＳＲＲＩから回復される。最新ＳＲＲＩは、オープンＳＲＲがクローズＳＲＲに変更されるとき、ディスク内にパディングされたダミーデータをチェックすることにより回復することができる。
【０１３８】
最新ＳＲＲＩに損傷がない場合、記録再生部１０は、追加的に記録可能なオープンＳＲＲの位置をチェックすることにより記録を行う。次いで、クローズコマンドが制御部２０から受け取られる場合、記録再生部１０は、オープンＳＲＲに残っている追加的に記録可能な全体または一部の領域にパディングを行って、ＳＲＲをクローズする。そして、ディスクの変更された記録状態は、管理領域内の最新ＳＲＲＩに記録される。任意の記録／再生装置が再び対応する光ディスクをロードし、最新のＳＲＲＩに損傷があっても、ディスクの最終記録状態をチェックすることができる。
【０１３９】
この分野における当業者であれば、各種の変更及び変形が本発明においてなされ得ることは明らかである。このように、本発明は、添付の特許請求の範囲及びその均等の範囲内に入る本発明の変更及び変形を網羅することが意図されている。
【図面の簡単な説明】
【０１４０】
【図１】本発明の実施形態による追記型光ディスクの構造を示す図である。
【図２Ａ】本発明による図１の追記型光ディスクの異なるタイプのオープンＳＲＲを示す図である。
【図２Ｂ】本発明による図１の追記型光ディスクの異なるタイプのオープンＳＲＲを示す図である。
【図２Ｃ】本発明による図１の追記型光ディスクの異なるタイプのオープンＳＲＲを示す図である。
【図２Ｄ】本発明による図１の追記型光ディスクの異なるタイプのオープンＳＲＲを示す図である。
【図３Ａ】本発明による図１の追記型光ディスクの異なるタイプのクローズＳＲＲを示す図である。
【図３Ｂ】本発明による図１の追記型光ディスクの異なるタイプのクローズＳＲＲを示す図である。
【図３Ｃ】本発明による図１の追記型光ディスクの異なるタイプのクローズＳＲＲを示す図である。
【図３Ｄ】本発明による図１の追記型光ディスクの異なるタイプのクローズＳＲＲを示す図である。
【図３Ｅ】本発明による図１の追記型光ディスクの異なるタイプのクローズＳＲＲを示す図である。
【図４Ａ】本発明の実施形態による図１ないし図３Ｅの追記型光ディスクのセッション及びＳＲＲを生成するプロセスの一例を示す図である。
【図４Ｂ】本発明の実施形態による図１ないし図３Ｅの追記型光ディスクのセッション及びＳＲＲを生成するプロセスの一例を示す図である。
【図４Ｃ】本発明の実施形態による図１ないし図３Ｅの追記型光ディスクのセッション及びＳＲＲを生成するプロセスの一例を示す図である。
【図４Ｄ】本発明の実施形態による図１ないし図３Ｅの追記型光ディスクのセッション及びＳＲＲを生成するプロセスの一例を示す図である。
【図４Ｅ】本発明の実施形態による図１ないし図３Ｅの追記型光ディスクのセッション及びＳＲＲを生成するプロセスの一例を示す図である。
【図４Ｆ】本発明の実施形態による図１ないし図３Ｅの追記型光ディスクのセッション及びＳＲＲを生成するプロセスの一例を示す図である。
【図４Ｇ】本発明の実施形態による図１ないし図３Ｅの追記型光ディスクのセッション及びＳＲＲを生成するプロセスの一例を示す図である。
【図５Ａ】本発明の第１の実施形態によるＳＲＲエントリの構造の一例を示す図である。
【図５Ｂ】本発明の第１の実施形態による図５ＡのＳＲＲエントリの構造を用いた一例を示す図である。
【図５Ｃ】本発明の第１の実施形態による図５ＡのＳＲＲエントリの構造を用いた一例を示す図である。
【図６Ａ】本発明の第２の実施形態によるＳＲＲエントリの構造の一例を示す図である。
【図６Ｂ】本発明の第２の実施形態による図６ＡのＳＲＲエントリの構造を用いた一例を示す図である。
【図６Ｃ】本発明の第２の実施形態による図６ＡのＳＲＲエントリの構造を用いた一例を示す図である。
【図７Ａ】本発明による図１の追記型光ディスクのディスク記録状態に依存するＳＲＲＩを記録する例を示す図である。
【図７Ｂ】本発明による図１の追記型光ディスクのディスク記録状態に依存するＳＲＲＩを記録する例を示す図である。
【図７Ｃ】本発明による図１の追記型光ディスクのディスク記録状態に依存するＳＲＲＩを記録する例を示す図である。
【図７Ｄ】本発明による図１の追記型光ディスクのディスク記録状態に依存するＳＲＲＩを記録する例を示す図である。
【図８Ａ】本発明による図１の追記型光ディスクのディスク記録状態に依存するＳＲＲＩを記録する例を示す図である。
【図８Ｂ】本発明による図１の追記型光ディスクのディスク記録状態に依存するＳＲＲＩを記録する例を示す図である。
【図９Ａ】本発明による図１の追記型光ディスクのディスク記録状態に依存するＳＲＲＩを記録する例を示す図である。
【図９Ｂ】本発明による図１の追記型光ディスクのディスク記録状態に依存するＳＲＲＩを記録する例を示す図である。
【図１０Ａ】本発明による図１の追記型光ディスクのディスク記録状態に依存するＳＲＲＩを記録する例を示す図である。
【図１０Ｂ】本発明による図１の追記型光ディスクのディスク記録状態に依存するＳＲＲＩを記録する例を示す図である。
【図１１Ａ】本発明による図１の追記型光ディスクのディスク記録状態に依存するＳＲＲＩを記録する例を示す図である。
【図１１Ｂ】本発明による図１の追記型光ディスクのディスク記録状態に依存するＳＲＲＩを記録する例を示す図である。
【図１２】本発明の一実施形態による最新ＳＲＲＩが損傷を受けたとき、追記型光ディスクのＳＲＲＩを用いた方法を示すフローチャートである。
【図１３Ａ】本発明の実施形態による追記型光ディスク中の最新ＳＲＲＩを復元する方法を示す図である。
【図１３Ｂ】本発明の実施形態による追記型光ディスク中の最新ＳＲＲＩを復元する方法を示す図である。
【図１４】本発明の実施形態による追記型光ディスクのための記録／再生装置を示す図である。
【図１】
2007505431.tif 000003
【図２Ａ】
2007505431.tif 000004
【図２Ｂ】
2007505431.tif 000005
【図２Ｃ】
2007505431.tif 000006
【図２Ｄ】
2007505431.tif 000007
【図３Ａ】
2007505431.tif 000008
【図３Ｂ】
2007505431.tif 000009
【図３Ｃ】
2007505431.tif 000010
【図３Ｄ】
2007505431.tif 000011
【図３Ｅ】
2007505431.tif 000012
【図４Ａ】
2007505431.tif 000013
【図４Ｂ】
2007505431.tif 000014
【図４Ｃ】
2007505431.tif 000015
【図４Ｄ】
2007505431.tif 000016
【図４Ｅ】
2007505431.tif 000017
【図４Ｆ】
2007505431.tif 000018
【図４Ｇ】
2007505431.tif 000019
【図５Ａ】
2007505431.tif 000020
【図５Ｂ】
2007505431.tif 000021
【図５Ｃ】
2007505431.tif 000022
【図６Ａ】
2007505431.tif 000023
【図６Ｂ】
2007505431.tif 000024
【図６Ｃ】
2007505431.tif 000025
【図７Ａ】
2007505431.tif 000026
【図７Ｂ】
2007505431.tif 000027
【図７Ｃ】
2007505431.tif 000028
【図７Ｄ】
2007505431.tif 000029
【図８Ａ】
2007505431.tif 000030
【図８Ｂ】
2007505431.tif 000031
【図９Ａ】
2007505431.tif 000032
【図９Ｂ】
2007505431.tif 000033
【図１０Ａ】
2007505431.tif 000034
【図１０Ｂ】
2007505431.tif 000035
【図１１Ａ】
2007505431.tif 000036
【図１１Ｂ】
2007505431.tif 000037
【図１２】
2007505431.tif 000038
【図１３Ａ】
2007505431.tif 000039
【図１３Ｂ】
2007505431.tif 000040
【図１４】
2007505431.tif 000041
【国際調査報告】
2007505431.tif 000042
2007505431.tif 000043